(57)【要約】  【課題】  電子制御されていない開閉扉を有する機械式の入賞装置であって所定数の遊技球が開口部に入賞した後に開閉扉が閉じるパチンコ遊技機の入賞装置を提供する。  【解決手段】  パチンコ遊技機の盤面上に設置された入賞装置であって、この入賞装置は遊技球が特定の入賞口に入賞又は特定の通過口を通過した場合に非電動により開く又は拡大する開口部２２を有し、この開口部２２に所定数の遊技球が入賞すると、この開口部２２が非電動により閉じる。  【選択図】図３
2007068551.tif 000002
【特許請求の範囲】
【請求項１】
パチンコ遊技機の盤面上に設置された入賞装置であって、該入賞装置は遊技球が特定の入賞口に入賞又は特定の通過口を通過した場合に非電動により開く又は拡大する開口部を有し、該開口部に所定数の遊技球が入賞すると、該開口部が非電動により閉じることを特徴とするパチンコ遊技機の入賞装置。
【請求項２】
入賞装置は、開く又は拡大する開口部に遊技球が入賞した場合又は開く又は拡大する開口部が閉じている状態で特定の入賞口又は通過口に遊技球が入賞又は通過した場合に該遊技球によって作動し該遊技球の入賞個数を計数する構造体を備えていることを特徴とする請求項１に記載のパチンコ遊技機の入賞装置。
【請求項３】
入賞装置は、開口部が開いている状態又は拡大している状態で、特定の入賞口又は通過口に遊技球が入賞又は通過した場合には前記開口部が開いた状態又は拡大した状態を維持し且つ、入賞個数を計数する構造体を作動させることのないことを特徴とする請求項２に記載のパチンコ遊技機の入賞装置。
【発明の詳細な説明】
【技術分野】
【０００１】
本発明は、パチンコ遊技機の入賞装置に関し、特に複数の遊技球を連続して取り込むことができ、センサ等による電気信号を介さない入賞装置に関する。
【背景技術】
【０００２】
従来より、特定の入賞口に遊技球が入賞した場合に開口部が開く入賞装置が設置されているパチンコ遊技機は数多く知られている（特許文献１参照）。
【特許文献１】特開２００５−１５２２９４
【発明の開示】
【発明が解決しようとする課題】
【０００３】
しかしながら、上記パチンコ遊技機における入賞装置における開口部の開閉動作は電子制御されているものである。即ち、開口部に入賞した遊技球の個数は計数センサによってカウントされ、所定の個数に達すると、ソレノイドが励磁し、開閉扉を閉めるように制御されているものである。
【０００４】
また、電子制御されていない開閉扉を有する機械式の入賞装置も知られてはいるが、この機械式の入賞装置では、開口部に遊技球が１個入賞すると、この遊技球の自重によって開閉扉が閉まる構造となっており、開閉扉を有する機械式の入賞装置で、複数の遊技球が開口部に入賞した後に開閉扉が閉まる構造のものは知られていなかった。
【０００５】
本発明は上記点に鑑み、電子制御されていない開閉扉を有する機械式の入賞装置であって所定数の遊技球が開口部に入賞した後に開閉扉が閉じるパチンコ遊技機の入賞装置を提供することを目的とする。
【課題を解決するための手段】
【０００６】
請求項１の発明は、パチンコ遊技機の盤面上に設置された入賞装置であって、該入賞装置は遊技球が特定の入賞口に入賞又は特定の通過口を通過した場合に非電動により開く又は拡大する開口部を有し、該開口部に所定数の遊技球が入賞すると、該開口部が非電動により閉じることに特徴を有する。
【０００７】
請求項２の発明は、請求項１の発明において、入賞装置は、開く又は拡大する開口部に遊技球が入賞した場合又は開く又は拡大する開口部が閉じている状態で特定の入賞口又は通過口に遊技球が入賞又は通過した場合に該遊技球によって作動し該遊技球の入賞個数を計数する構造体を備えていることに特徴を有する。
【０００８】
請求項３の発明は、請求項２の発明において、入賞装置は、開口部が開いている状態又は拡大している状態で、特定の入賞口又は通過口に遊技球が入賞又は通過した場合には前記開口部が開いた状態又は拡大した状態を維持し且つ、入賞個数を計数する構造体を作動させることのないことに特徴を有する。
【発明の効果】
【０００９】
請求項１の発明は、パチンコ遊技機の盤面上に設置された入賞装置であって、該入賞装置は遊技球が特定の入賞口に入賞又は特定の通過口を通過した場合に非電動により開く又は拡大する開口部を有し、該開口部に所定数の遊技球が入賞すると、該開口部が非電動により閉じることに特徴を有するので、従来のように、ソレノイドや計数センサを使用することがないので、入賞装置全体を小型のコンパクトなものとすることができ、パチンコ遊技機の設計の自由度が広がる。また、コスト低減ともなる。
【００１０】
請求項２の発明は、請求項１の発明において、入賞装置は、開く又は拡大する開口部に遊技球が入賞した場合又は開く又は拡大する開口部が閉じている状態で特定の入賞口又は通過口に遊技球が入賞又は通過した場合に該遊技球によって作動し該遊技球の入賞個数を計数する構造体を備えていることに特徴を有するので、入賞個数を計数する構造体の作動によって開口部の開閉を制御することができることから、簡単な構造で開口部への遊技球の入賞数を把握することができる。
【００１１】
請求項３の発明は、請求項２の発明において、入賞装置は、開口部が開いている状態又は拡大している状態で、特定の入賞口又は通過口に遊技球が入賞又は通過した場合には前記開口部が開いた状態又は拡大した状態を維持し且つ、入賞個数を計数する構造体を作動させることのないことに特徴を有するので、開口部が開いている状態又は拡大した状態で、特定の入賞口に遊技球が入賞した場合又は特定の通過口を遊技球が通過した場合には、その入賞又は通過によって入賞装置の開口部が新たに開閉動作を行うことがないようにすることができる。
【発明を実施するための最良の形態】
【００１２】
次に本発明の実施形態を図面を用いて説明する。図１はパチンコ遊技機の全体を示す正面図である。この図を用いてパチンコ遊技機の概略を説明する。
【００１３】
まず、パチンコ遊技機１には、内枠２が開閉可能に備えられており、その内枠２には、金枠３が開閉可能に取り付けられており、さらに金枠３には、ガラス枠４が開閉可能に取り付けられている。ガラス枠４の裏面側には、遊技盤５が配置されており、この遊技盤５の左方には、発射された遊技球を案内するガイドレール６が設けられている。内枠２の右側には、ガラス枠４開閉用の鍵を差し込む鍵穴７を備えた鍵穴飾り８が設けられており、内枠２の上方には、枠ランプ９が設けられている。
【００１４】
ガラス枠４の下には、前面板１１が設けられており、この前面板１１の左側上部には、遊技球が排出される上皿遊技球排出口１２が形成されており、この上皿遊技球排出口１２の排出側には、その上皿遊技球排出口１２から排出された遊技球を溜めておくための上皿１３が取り付けられている。上皿１３の下方には、その上皿１３で収容しきれなくなった遊技球を排出するための下皿遊技球排出口１４が形成されており、この下皿遊技球排出口１４の排出側には、その下皿遊技球排出口１４から排出された遊技球を溜めておくための下皿１５が設けられている。
【００１５】
下皿１５の右方には、上皿１３から供給された遊技球を遊技盤５へ発射する発射モータ（図示せず）を操作するための発射ハンドル１６が、回転可能に取り付けられており、その発射ハンドル１６には、発射途中で発射を停止するための発射停止ボタン１７が設けられている。
【００１６】
また、上皿１３の右方には、上皿１３に溜められた遊技球を下皿１５へ抜くための上皿球抜きレバー１８がスライド可能に取り付けられている。
【００１７】
さらに、内枠２の左側にはプリペイドカードを挿入するスリット１９ａを有するカードリーダーユニット１９が設けられている。
【００１８】
図２はパチンコ遊技機の盤面の構成の一例を示す正面図である。この図に示すように、本発明に係る入賞装置２０は一般的に盤面の下方に位置し、１個又は複数個２０ａ，２０ｂ，２０ｃが設置されているものである。また、この入賞装置２０ａ，２０ｂ，２０ｃと連動する特定の入賞口２１ａ，２１ｂ，２１ｃは、通常、入賞装置２０ａ，２０ｂ，２０ｃよりも上方に位置しており、例えば、入賞口２１ａに遊技球が入賞した場合には、入賞装置２０ａの開閉扉２２ａが開くようになっている。また、入賞口２１ｂに遊技球が入賞した場合には、入賞装置２０ａ，２０ｂ，２０ｃの全ての開閉扉２２ａ，２２ｂ，２２ｃを開くようにしてもよい。尚、入賞装置２０ａ，２０ｂ，２０ｃと連動する特定の入賞口２１ａ，２１ｂ，２１ｃは、賞球を伴わない通過口であってもよい。
【００１９】
図３は本発明の実施形態の入賞装置を構成する各部品を示す分解斜視図である。この図に示すように、入賞装置２０は、台板２３に開閉扉２２が設置される開口２３ａがあり、開閉扉２２は回転ラッチ２４（特許請求の範囲では入賞個数を計数する構造体と記す）と回動フック２５とによって開閉動がなされるようになっている。また、回動フック２５はシャフト２６を回動軸として回動するものであって、通常ロック部材２７によって所定位置にロックされるようになっている。また、回転ラッチ２４はバネ部材２８の付勢によって一方向に所定の角度の回転がなされるように調節されている。これらの部材は第１ケース２９又は第２ケース３０に収容される。また、第２ケース３０と裏箱３１との間はカーバー３２によって仕切られている。
【００２０】
ここで、回転ラッチ２４は回転軸２４ａ回りに回転する３枚の羽根２４ｂ，２４ｃ，２４ｄと、一端に形成された扇状のカム部２４ｅより構成されている。また、回動フック２５は一端に遊技球当接板２５ａが形成され、他端にラッチ回転腕２５ｂが形成されているものである。さらに、ロック部材２７は遊技球接触板２７ａと、フックロック部２７ｂとを有するものである。
【００２１】
図４は本発明の第１の実施形態の入賞装置を示す斜視図である。この図を見るとわかるように、入賞装置２０は、これに連動する特定の入賞口に遊技球が入賞しない状態又は特定の通過口を遊技球が通過しない状態では、図３（イ）のように、開閉扉２２が閉じられており、この場合には、台板２３及び開閉扉２２の垂直面を遊技球は通過していくのである。一方、連動する特定の入賞口に遊技球が入賞した状態又は特定の通過口を遊技球が通過した状態では、図３（ロ）のように、開閉扉２２が開かれるので、このエリアに落下する遊技球は開閉扉２２の内側に当たって入賞装置２０内に取り込まれるのである。
【００２２】
尚、特定の入賞口に入賞した遊技球又は特定の通過口を通過した遊技球は、図３及び図４に示す、第２ケース３０の傾斜板３０ａに当接した後、裏箱３１の傾斜板３１ａに転がり、遊技球接触板２７ａと遊技球当接板２５ａとが設置されている溝３１ｂへと落下するのである。
【００２３】
次に、図５〜図８は、入賞装置の動作を説明するため、簡略化して右側面方向及び左側面方向から見た説明図である。これらの図を使用して本発明の入賞装置の動作を説明する。まず、図５に示すように、入賞装置２０と連動している特定の入賞口に遊技球Ａが入賞した場合又は特定の通過口を遊技球Ａが通過した場合には、裏箱３１側に遊技球Ａが落下して、ロック部材２７の遊技球接触板２７ａに接触することにより、ロック部材２７が時計回りに回転してロックを解除すると共に、回動フック２５の遊技球当接板２５ａに遊技球Ａが当接して回動フック２５の一端を下方に下げるのである。すると、回動フック２５の他端に設けられたラッチ回転腕２５ｂが回転ラッチ２４の３枚の羽根の内の１枚に下方から当接して回転ラッチ２４が約９０度回転するのである。この回転ラッチ２４の回転によって、回転ラッチ２４が開閉扉２２に接触することで開閉扉２２が閉じた状態となっていたのが、回転ラッチ２４と開閉扉２２との接触が解除されることによって、図６に示すように、開閉扉２２が盤面の前方に傾斜し、開閉扉２２が開いた状態となるのである。
【００２４】
次に、図７に示すように、本発明に係る入賞装置２０の開閉扉２２に１個目の遊技球Ｂが入賞した場合には、この遊技球Ｂが回転ラッチ２４の１枚の羽根に当接し、回転ラッチ２４を約１３５度回転させるのである。すると、回転ラッチ２４と開閉扉２２とは非接触の状態を維持することとなるので、開閉扉２２は開いた状態を維持し、遊技球Ｂは払出装置（図示せず）の方向へと転がっていくのである。
【００２５】
尚、図６及び図７の状態、即ち、入賞装置２０の開閉扉２２が開いた状態で特定の入賞口に遊技球が入賞した場合又は特定の通過口を遊技球が通過した場合には、この遊技球はロック部材２７の遊技球接触板２７ａに接触した後、回動フック２５の遊技球当接板２５ａに当接するので、回動フック２５は回転ラッチ２４の方向に回転することとなる。しかし、ラッチ回転腕２５ｂの先端は扇状のカム部２４ｅに形成された溝２４１ｅ（図３参照）に入り込むこととなるので、回転ラッチ２４とは接触することがなく、回転ラッチ２４が回転しないようになっている。
【００２６】
さらに、図８に示すように、本発明に係る入賞装置２０の開閉扉２２に２個目の遊技球Ｃが入賞した場合には、この遊技球Ｃが回転ラッチ２４の羽根に当接し、回転ラッチ２４を約１３５度回転させるのである。すると、回転ラッチ２４と開閉扉２２とは接触する状態となるので、開閉扉２２は閉まった状態となるのである。そして、図４に示したように、入賞装置２０と連動している特定の入賞口又は特定の通過口に新たな遊技球が入賞又は通過するまでは、本発明に係る入賞装置２０の開閉扉２２は閉まった状態を維持し続けることとなるのである。
【００２７】
尚、本発明の趣旨を逸脱しない範囲において、種々の実施形態をとることができることは言うまでもない。例えば、上記実施形態では、回転ラッチ２４の羽根を３枚とすることによって、２個の遊技球が入賞するまでは、入賞装置２０の開閉扉２２を開いた状態としているが、これに限定されるものではなく、回転ラッチ２４の羽根をさらに増やし、バネ部材２８の力を調節することによって回転ラッチ２４の回転角度を制御し、さらに多くの遊技球が入賞するまで、入賞装置２０の開閉扉２２を開いた状態で維持することが可能となるのである。また、ロック部材２７は、回転ラッチ２４を所定位置に固定するものであるが、上記実施形態に限定されるものではなく、バネ等の付勢によって、回転ラッチ２４を所定位置に固定してもよいものである。
【００２８】
また、上記実施形態では開閉扉２２は開いた状態と閉じた状態とで規定しているが、若干開いている状態と拡大している状態とで規定してもよいものである。この場合には通常若干開いた状態（上記実施形態における閉じた状態に対応する）にあって、特定の入賞口に遊技球が入賞した場合又は特定の通過口を遊技球が通過した場合に、開閉扉２２が拡大する状態（上記実施形態における開いた状態に対応する）へと変化する場合にも本発明を適用することができるものである。
【図面の簡単な説明】
【００２９】
【図１】パチンコ遊技機の全体を示す正面図である。
【図２】パチンコ遊技機の盤面の構成の一例を示す正面図である。
【図３】本発明に係る入賞装置を構成する部品を示す分解斜視図である。
【図４】本発明に係る入賞装置を示す斜視図である。
【図５】本発明に係る入賞装置の動作を説明するための説明図である。
【図６】本発明に係る入賞装置の動作を説明するための説明図である。
【図７】本発明に係る入賞装置の動作を説明するための説明図である。
【図８】本発明に係る入賞装置の動作を説明するための説明図である。
【符号の説明】
【００３０】
１  パチンコ遊技機
５  遊技盤
１３  上皿
２０  入賞装置
２１  入賞口
２２  開閉扉
２３  台板
２４  回転ラッチ
２５  回動フック
２６  シャフト
２７  ロック部材
２８  バネ部材
【図１】
2007068551.tif 000003
【図２】
2007068551.tif 000004
【図３】
2007068551.tif 000005
【図４】
2007068551.tif 000006
【図５】
2007068551.tif 000007
【図６】
2007068551.tif 000008
【図７】
2007068551.tif 000009
【図８】
2007068551.tif 000010